(57)【要約】【課題】  サイン面板に透明部を形成し、透明部の内面側に照光体が出射した光を色分けして出色するカラーボードを配設することによりカラーボード自体が直射日光、雨、風に晒されないようにしてカラーボードの褪色化を防止するファサードサインを提供する【解決手段】  サイン面板１０、バックボード３０、カラーボード５０、照光体６０を備えている。サイン面板は、透過性の合成樹脂により断面がＣ字状の横長に形成され、内面側に配設するカラーボードを外部より透視可能とする透明部１１を有し、内壁面における透明部に対応する位置にカラーボードを収容保持するカラーボード収容保持部１５が形成され、両自由端部にバックボードの上縁部３６、下縁部３７と当接する上部当接面部２６、下部当接面部２７がそれぞれ形成されている。【選択図】図８
2009098586.tif 000002
【特許請求の範囲】
【請求項１】
光透過性の合成樹脂を異形押出成形することにより断面がＣ字状の横長に形成され、内面側に配設するカラーボードを外部より透視可能とする透明部を有し、内壁面における前記透明部に対応する位置にカラーボードを収容保持するカラーボード収容保持部が形成され、両自由端部にバックボードの上縁部、下縁部と当接する上部当接面部、下部当接面部がそれぞれ形成されているサイン面板と、
表面に照光体を構成する照光ユニットの脚片が係入する係入溝が形成され、上下両端部に前記サイン面板の上部当接面部と当接する上縁部、前記サイン面板の下部当接面部と当接する下縁部がそれぞれ形成されているバックボードと、
前記カラーボード収容保持部に収容保持されるカラーボードと、
ＬＥＤを光源とする照光ユニットを前記バックボードの表面に行列状に配設して構成される照光ユニット群を備えた照光体とを含んでなるファサードサイン
【請求項２】
光透過性の合成樹脂を異形押出成形することにより断面がＣ字状の横長に形成され、内面側に配設するカラーボードを外部より透視可能とする透明部を有し、内壁面における前記透明部に対応する位置にカラーボードを収容保持するカラーボード収容保持部が形成され、両自由端部にバックボードの上縁部、下縁部と当接する上部当接面部、下部当接面部がそれぞれ形成されているサイン面板と、
表面に照光体を構成する照光ユニットの脚片が係入する係入溝が形成され、上下両端部に前記サイン面板の上部当接面部と当接する上縁部、前記サイン面板の下部当接面部と当接する下縁部がそれぞれ形成されているバックボードと、
前記カラーボード収容保持部に収容保持されるカラーボードと、
ＬＥＤを光源とする照光ユニットを前記バックボードの表面に行列状に配設して構成される照光ユニット群を備えた照光体と、
壁面上の水平方向に設けた互いに平行な上下一対の壁面側受けレールと、
前記サイン面板の上部当接面部と前記バックボードの上縁部、前記サイン面板の下部当接面部と前記バックボードの下縁部とをそれぞれ当接させた状態で嵌挿して前記サイン面板と前記バックボードとを一体化するとともに、前記壁面側受けレールに懸架される上下一組の連結レールとを含んでなるファサードサイン。
【請求項３】
光透過性の合成樹脂により断面がＣ字状の横長に形成され、内面側に配設するカラーボードを外部より透視可能とする透明部を有し、内壁面における前記透明部に対応する位置にカラーボードを収容保持するカラーボード収容保持部が形成され、両自由端部にバックボードの上縁部、下縁部と当接する上部当接面部、下部当接面部がそれぞれ形成されているサイン面板と、
表面に照光体を構成する照光ユニットの脚片が係入する係入溝が形成され、上下両端部に前記サイン面板の上部当接面部と当接する上縁部、前記サイン面板の下部当接面部と当接する下縁部がそれぞれ形成されているバックボードと、
前記カラーボード収容保持部に収容保持されるカラーボードと、
ＬＥＤを光源とする照光ユニットを前記バックボードの表面に行列状に配設して構成される照光ユニット群を備えた照光体と、
左右一対のサイドカバーと、
壁面上の水平方向に設けた互いに平行な上下一対の壁面側受けレールと、
前記サイン面板の上部当接面部と前記バックボードの上縁部、前記サイン面板の下部当接面部と前記バックボードの下縁部とをそれぞれ当接させた状態で嵌挿して前記サイン面板と前記バックボードとを一体化するとともに、前記壁面側受けレールに懸架される上下一組の連結レールとを含んでなるファサードサイン。
【請求項４】
前記照光ユニットが、リフレクタと照光部より構成され、
前記リフレクタは、底面に前記照光部の光源を構成するＬＥＤを保持するＬＥＤ保持部を備え、底部中央には前記照光部のレンズを臨ませ露出させるくり抜き部が形成されるとともに、前記リフレクタの内表面は前記ＬＥＤが出射する光を反射する反射面として形成され、前記ＬＥＤが出射する光を前記リフレクタを介して前記サイン面板側に反射させる請求項１ないし３いずれか一項に記載のファサードサイン。
【請求項５】
前記リフレクタが、矩形の皿状に形成されている請求項４に記載のファサードサイン。
【請求項６】
前記サイン面板の頂部の水平長手方向に、雨だれ防止用のひさしの基端部が嵌入する条溝が形成され、該条溝にひさしの基端部が嵌入し前記サイン面板とひさしが一体化されている請求項１ないし５いずれか一項に記載のファサードサイン。
【発明の詳細な説明】
【技術分野】
【０００１】  本発明は、コンビニエンスストアなどの店頭に設置するファサードサイン（ｆａｃａｄｅｓｉｇｎ；店頭の入り口まわりの看板）に関するものである。
【背景技術】
【０００２】  コンビニエンスストアにおいては、店頭における照明の明るさや色調が顧客を吸引する上で極めて重要なウエイトを占めている。【０００３】  壁面上に略水平方向に設けた上下１組の看板取付レールの中間位置に光源を構成する蛍光管を配備し、サイン（看板）本体が、断面が略長円形の光透過性の合成樹脂直筒体により形成されるとともに、短径方向の後側壁中央部分には直筒体の長手方向に平行な蛍光管収容用凹陥部が形成され、この凹陥部を挟んだ上部と下部に看板取付レールに対する結合部材を備えたファサードサインが提案されている（特許文献１）。【０００４】  また、基板にＬＥＤ（Ｌｉｇｈｔ  Ｅｍｉｔｔｉｎｇ  Ｄｉｏｄｅ：発光ダイオード）チップを搭載し、ＬＥＤ上にアクリル樹脂製の透明なレンズを載置してレンズ効果で均一発光が得られるようにしたレンズ付ＬＥＤモジュールが提案され（非特許文献１）、このレンズ付ＬＥＤモジュールを照明用モジュールとして照光体に用いたサイン（看板）が案出されている。【０００５】
【特許文献１】  特開２０００−１８１３８８
【非特許文献１】  株式会社光波、製品名：シャイニングアイ（Ｌ）、インターネット〈ＵＲＬ：ｈｔｔｐ：／／ｗｗｗ．ｋｏｈａ．ｃｏ．ｊｐ〉
【０００６】  しかしながら、従来のファサードサインにあっては、
１．ファサードサインのサイン面板に顧客の吸引を図るため有彩色の装飾面を施す場      合、サイン面板の外表面に装飾部材（例えばカラーボード）を接着して形成するこ      とにより行なわれるが、装飾部材自体が直接日光、雨、風に晒されるため経時的に      褪色化が進行し比較的短時間のうちにファサードサインを交換する必要が生じる；
２．サイン面板を再利用するため装飾部材を付着したままサイン面板を溶融すると溶      融物が黒色化するためサイン面板の再生を図るためには装飾部材をサイン面板から      分離する必要があるが、サイン面板と装飾部材との分離は必ずしも容易ではなく、      サイン面板の再生を図ることがあまり行なわれていない（廃棄処分してしまうのが      一般的である）；
３．サインの光源として蛍光管を使用しているため蛍光管ホルダーやホルダー受けを      必要とし、サインの厚さが厚くなりサインを薄型に形成できない；
４．サイン本体の蛍光管収容用凹陥部を除く後面体の内面側に白色塗料などの光反射      膜を設けていても、サイン本体は断面が縦長の略長円形の直筒体として形成されて      おり、光源はサイン本体中央の凹陥部に配設した１本の蛍光管であるため、蛍光管      からの遠近によりサイン本体の照光度に明暗が生じる；
という問題点があった。【０００７】  また、単に上記のレンズ付ＬＥＤモジュールのみをサインの照光体として用いる場合、出射する光が反射して届く範囲は限られるため反射光のすべてを照光体として活用できないととともに、明暗も生じるという問題点があった。
【発明の開示】
【発明が解決しようとする課題】
【０００８】  本発明は、ファサードサインを構成するサイン面板に透明部を形成し、この透明部の内面側に照光体が出射した光を色分けして出色するカラーボードをサイン面板と別体として配設することによりカラーボード自体が直射日光、雨、風に晒されないようにすることによりカラーボードに対する紫外線の影響を弱められること、および、ＬＥＤと、ＬＥＤが出射する光を反射するリフレクタを備えてなる照光ユニットを複数個、例えば、行列状に配設することによりリフレクタ前方に位置するサイン面板の前面に均一な反射光を与えられることが可能となり、サイン面板前面の照度が著しくアップし、しかも照光体とサイン面板との距離が短くなってサイン本体の薄型化が図れることを見出し、この知見に基づいて本発明をなすに至った。【０００９】  従って、本発明の目的は、ファサードサインを構成するサイン面板に透明部を形成し、この透明部の内面側に照光体が出射した光を色分けして出色するカラーボードを配設することによりカラーボード自体が直射日光、雨、風に晒されないようにしてカラーボードの褪色化を防止するファサードサインを提供することにある。【００１０】  本発明の他の目的は、ファサードサインを構成するサイン面板と照光体が出射した光をカラー化するカラーボードを別体により形成し、サイン面板のみを取り出し単色にての再生が図れるファサードサインを提供することにある。【００１１】  本発明のもう一つ他の目的は、照光体が出射した光をサイン面板の前面に均一にしてしかも広範囲に反射させて反射光を有効に活用し得るファサードサインを提供することにある。【００１２】  本発明のさらにもう一つ他の目的は、薄型に形成できるファサードサインを提供することにある。
【課題を解決するための手段】
【００１３】  上記課題を解決するため本発明によれば、光透過性の合成樹脂を異形押出成形することにより断面がＣ字状の横長に形成され、内面側に配設するカラーボードを外部より透視可能とする透明部を有し、内壁面における前記透明部に対応する位置にカラーボードを収容保持するカラーボード収容保持部が形成され、両自由端部にバックボードの上縁部、下縁部と当接する上部当接面部、下部当接面部がそれぞれ形成されているサイン面板と、表面に照光体を構成する照光ユニットの脚片が係入する係入溝が形成され、前記サイン面板の上部当接面部と当接する上縁部、前記サイン面板の下部当接面部と当接する下縁部がそれぞれ形成されているバックボードと、前記カラーボード収容保持部に収容保持されるカラーボードと、ＬＥＤを光源とする照光ユニットを前記バックボードの表面に行列状に配設して構成される照光ユニット群を備えた照光体とを含むファサードサインが提供される。【００１４】  また、本発明によれば、光透過性の合成樹脂を異形押出成形することにより断面がＣ字状の横長に形成され、内面側に配設するカラーボードを外部より透視可能とする透明部を有し、内壁面における前記透明部に対応する位置にカラーボードを収容保持するカラーボード収容保持部が形成され、両自由端部にバックボードの上縁部、下縁部と当接する上部当接面部、下部当接面部がそれぞれ形成されているサイン面板と、表面に照光体を構成する照光ユニットの脚片が係入する係入溝が形成され、上下両端部に前記サイン面板の上部当接面部と当接する上縁部、前記サイン面板の下部当接面部と当接する下縁部がそれぞれ形成されているバックボードと、前記カラーボード収容保持部に収容保持されるカラーボードと、ＬＥＤを光源とする照光ユニットを前記バックボードの表面に行列状に配設して構成される照光ユニット群を備えた照光体と、壁面上の水平方向に設けた互いに平行な上下一対の壁面側受けレールと、前記サイン面板の上部当接面部と前記バックボードの上縁部、前記サイン面板の下部当接面部と前記バックボードの下縁部とをそれぞれ当接させた状態で嵌挿して前記サイン面板と前記バックボードとを一体化するとともに、前記壁面側受けレールに懸架される上下一組の連結レールとを含むファサードサインが提供される。【００１５】  さらに、本発明によれば、光透過性の合成樹脂により断面がＣ字状の横長に形成され、内面側に配設するカラーボードを外部より透視可能とする透明部を有し、内壁面における前記透明部に対応する位置にカラーボードを収容保持するカラーボード収容保持部が形成され、両自由端部にバックボードの上縁部、下縁部と当接する上部当接面部、下部当接面部がそれぞれ形成されているサイン面板と、表面に照光体を構成する照光ユニットの脚片が係入する係入溝が形成され、上下両端部に前記サイン面板の上部当接面部と当接する上縁部、前記サイン面板の下部当接面部と当接する下縁部がそれぞれ形成されているバックボードと、前記カラーボード収容保持部に収容保持されるカラーボードと、ＬＥＤを光源とする照光ユニットを前記バックボードの表面に行列状に配設して構成される照光ユニット群を備えた照光体と、左右一対のサイドカバーと、壁面上の水平方向に設けた互いに平行な上下一対の壁面側受けレールと、前記サイン面板の上部当接面部と前記バックボードの上縁部、前記サイン面板の下部当接面部と前記バックボードの下縁部とをそれぞれ当接させた状態で嵌挿して前記サイン面板と前記バックボードとを一体化するとともに、前記壁面側受けレールに懸架される上下一組の連結レールとを含むファサードサインが提供される。【００１６】  前記照光ユニットは、リフレクタと照光部より構成され、前記リフレクタは、底面に前記照光部の光源を構成するＬＥＤを保持するＬＥＤ保持部を備え、底部中央には前記照光部のレンズを臨ませ露出させるくり抜き部が形成されるとともに、前記リフレクタの内表面は前記ＬＥＤが出射する光を反射する反射面として形成され、前記ＬＥＤが出射する光を前記リフレクタを介して前記サイン面板側に反射させるようにするとよい。【００１７】  前記リフレクタは、矩形の皿状に形成することができる。【００１８】  前記サイン面板の頂部の水平長手方向に、雨だれ防止用のひさしの基端部が嵌入する条溝が形成され、該条溝にひさしの基端部が嵌入し前記サイン面板とひさしが一体化するようにするとよい。
【発明の効果】
【００１９】  以上のような本発明によれば、次の効果を奏する。
１．ファサードサインのサイン面板を樹脂成形する際に一部を透明部として形成するとともに、サイン面板の透明部の内面側に対応させて別体のカラーボードを着脱自在に配設し、ファサードサインの照光体が出射した光をカラーボードを介して透明部より外部に照射して色調の変化を得られるようにしたファサードサインが得られる。
２．ファサードサインを構成するサイン面板と照光体が出射した光をカラー化するカラーボードを別体により形成し、サイン面板のみを取り出して単色にての再生が図れるファサードサインが得られる。
３．ファサードサインを構成するサイン面板に透明部を形成し、この透明部の内面側に照光体が出射した光を色分けして出色するカラーボードを配設することによりカラーボード自体が直接日光、雨、風に晒されないようにしてカラーボードに対する紫外線の影響を回避しカラーボードの褪色化が防げるファサードサインが得られる。
４．照光体が出射した光をリフレクタが受け、リフレクタが捉える光を広範囲にしてしかも均一に反射させて反射光を有効に活用し照度を上げることができるファサードサインが得られる。
５．サインの厚みを薄型に形成でき設置作業が容易なファサードサインが得られる。
【発明を実施するための最良の形態】
【００２０】  ファサードサインは、サイン面板、バックボード、カラーボード、照光体を備えている。サイン面板は、透過性の合成樹脂により断面がＣ字状の横長に形成され、内面側に配設するカラーボードを外部より透視可能とする透明部を有し、内壁面における透明部に対応する位置にカラーボードを収容保持するカラーボード収容保持部が形成され、両自由端部にバックボードの上縁部、下縁部と当接する上部当接面部、下部当接面部がそれぞれ形成されている。バックボードは、表面に照光体を構成する照光ユニットの脚片が係入する係入溝が形成され、サイン面板の上部当接面部と当接する上縁部、サイン面板の下部当接面部と当接する下縁部がそれぞれ形成されている。カラーボードは、カラーボード収容保持部に収容保持される。照光体は、ＬＥＤを光源とする照光ユニットをバックボードの表面に行列状に配設して構成される照光ユニット群を備えている。
【実施例】
【００２１】  図１乃至図８に、本発明に係るファサードサインの実施例を示す。
図１は、本発明に係るファサードサインの斜視図、
図２は、ファサードサインの組立て途中を示す図であり、雨だれ防止用ひさしの基端部をサイン面板の頂部に形成した、ひさし基端部嵌入用の条溝に右サイドからスライドさせて嵌入し、さらに、左サイドカバーを取付ける状態を示す斜視図、
図３は、ファサードサインを構成するサイン面板にカラーボードを収容保持している状態を示す斜視図、
図４は、ファサードサインを構成するバックボードに照光ユニットを装着している状態を示す斜視図、
図５は、バックボード側から見たファサードサインを示し、サイン面板とバックボードと左サイドカバーを組立て、上下の連結レールによりサイン面板とバックボードを一体化している状態を示すファサードサインの斜視図、
図６は、ファサードサインの左側面図、
図７は、ファサードサインを壁面に設置した状態を示す左側面図、
図８は、ファサードサインの構成要素を分離した状態の左側面図である。【００２２】  これらの図において、本発明に係るファサードサイン１は、一部が透明部として形成されたサイン面板１０、照光体（照光ユニット群）を装着するバックボード３０、左右のサイドカバー４１，４２、カラーボード５０、照光体６０、上部連結レール８０，下部連結レール９０、壁面上の水平方向に設けた互いに平行な上下一対の壁面側受けレール１２０，１３０を含んで構成される。【００２３】  前記サイン面板１０は、例えば、アクリル樹脂，ポリカーボネート樹脂などの光透過性の合成樹脂を異形押出成形により断面がＣ字状の横長に形成され、内面側に配設する前記カラーボード５０を外部より透視可能とするように一部は透明部１１として形成され、その他の部分は乳白色部２１として形成されている（図１乃至図３参照）。また、前記サイン面板１０の内壁面には前記カラーボード５０を収容保持するカラーボード収容保持部１５が形成されている。さらに、前記サイン面板１０の両自由端部は外側に１８０度折曲され、前記バックボード３０の上縁部３６、下縁部３７と当接する上部当接面部２６、下部当接面部２７がそれぞれ形成されている。【００２４】  前記透明部１１は、上部透明部１２、中央透明部１３、下部透明部１４の３つの平行なそれぞれが湾曲した帯状の透明部として形成されている。【００２５】  前記カラーボード収容保持部１５は、前記サイン面板１０の内壁面における前記上部透明部１２、中央透明部１３、下部透明部１４に対応する位置に上部収容保持部１６、中央収容保持部１７、下部収容保持部１８として形成されている（図８参照）。各収容保持部１６，１７，１８は、前記サイン面板１０の長手（水平）方向に形成された、対向する上下一対の挿入溝により構成される。また、前記サイン面板１０の頂部の水平長手方向には、雨だれ防止用の長尺のひさし１００の基端部がスライドして嵌入する、ひさし嵌入用条溝２８が形成され、この条溝２８にひさし１００の基端部が嵌入し前記サイン面板１０とひさし１００は一体化する。【００２６】  前記バックボード３０は、異形押出成形することにより、中空部３１を有する板状部材として形成され、その表面（前面）には前記照光体６０を構成する照光ユニット６１の脚片６７，６８の先端に形成された係入爪６７ａ，６８ａが係入する係入溝３２，３３が形成され（図６参照）、１段につき複数の照光ユニット６１配して５段にわたり行列状に照光ユニット６１を装着（配設）して構成した照光ユニット群を備えた前記照光体６０を確保する。前記バックボード３０の上下両端部は前記サイン面板１０の上部当接面部２６、下部当接面部２７と当接する上縁部３６、下縁部３７が形成されている（図８参照）。符号３８は、前記バックボード３０の両側部に設けた、ボルト４６を止付けるための受け溝である。【００２７】  前記サイン面板１０と前記バックボード３０は、前記サイン面板１０の上部当接面部２６と前記バックボード３０の上縁部３６、前記サイン面板１０の下部当接面部２７と前記バックボード３０の下縁部３７をそれぞれ当接させた状態で、前記上部連結レール８０、下部連結レール９０をスライドさせながら、前記上部連結レール８０、下部連結レール９０の長手方向に形成された各嵌挿部８１，９１に嵌挿させることにより組み立てられる。【００２８】  左右一対のサイドカバー４１，４２は同型に形成され、ボルト４６が挿通するボルト挿通孔４３が穿設され、外周縁部と中央部には表面より隆起した、外周リブ４４と中央リブ４５が形成されている。ボルト挿通孔４３を挿通したボルト４６の先端は前記バックボード３０の側部に設けた前記受け溝３８に受け止められる。符号４８は、組立て時に、前記サイン面板１０の頂部に形成されたひさし嵌入用の条溝２８の位置に一致し、ひさしの嵌入を案内する欠所である。【００２９】  前記カラーボード５０は、３枚の異なる色の上部カラーボード５１，中央カラーボード５２，下部カラーボード５３より構成され（図３参照）、各カラーボード５１，５２，５３は、前記のとおり、前記カラーボード収容保持部１５を構成する、上部収容保持部１６、中央収容保持部１７、下部収容保持部１８に収容保持される。【００３０】  前記照光体６０は、前記のとおり、前記バックボード３０の表面に照光ユニット６１を行列状に配設して構成される照光ユニット群を備えている（図６参照）。【００３１】  前記照光ユニット６１は、合成樹脂を射出成形して矩形の皿状に形成されたリフレクタ６２と照光部７０より構成される。【００３２】  前記リフレクタ６２は、底面（底部）に前記照光部７０の光源を構成するＬＥＤ７２を保持するＬＥＤ保持部６３、６４を備え、底部中央には前記照光部７０のレンズ７３を臨ませ露出させるくり抜き部６５が形成されている。前記リフレクタ６２の内表面６２Ａは前記ＬＥＤ７２が出射する光を反射する反射面として形成され、前記ＬＥＤ７２が出射する光を前記リフレクタ６２を介して反射させることにより前記ＬＥＤ７２が出射する光を前記サイン面板１０側に均一にしてしかも広範囲に反射させる。前記バックボード３０の係入溝３２，３３に係入する脚片６７，６８は、前記リフレクタ６２の底面に設けた前記ＬＥＤ保持部６３，６４の外側に垂設され、先端に前記バックボード３０に形成された係入溝３２，３３に係入する係入爪６７ａ、６８ａが形成されている。【００３３】  前記ＬＥＤ保持部６３，６４は、前記リフレクタ６２の底面に垂下して形成され、先端に係合フックを備えている。【００３４】  前記照光部７０は、基板７１に搭載されたＬＥＤ７２と、ＬＥＤ上に設け中央に逆円錐状の凹所７４が形成されたアクリル樹脂製の透明なレンズ７３と、ＬＥＤ７２を封止する封止材を備えたレンズ付ＬＥＤモジュールとして構成される。レンズ７３は、前記のとおり、前記リフレクタ６２のくり抜き部６５より露出する（図９及び図１０参照）。符号７７，７８は、ＬＥＤ点灯用電源７９を供給するリード線であり、各照光部７０のリード線は直列に繋がっている。【００３５】  かくして、前記照光部７０が出射する光の反射光のすべてを捉えてリフレクタ６２に溜めて反射させ、ＬＥＤ７２が出射する光を広範囲に反射させることが可能となる。また，リフレクタ前方に位置するサイン面板全体に均一な反射光を与えられることが可能となり、照度がアップし照光体とサイン面板との距離が短くできサイン本体全体の薄型��が図れる［サインの厚みＷ（図５参照）を薄くでき、薄型のサインが得られる］。また、組立ても簡単である。【００３６】    前記上部連結レール８０、下部連結レール９０は、前記サイン面板１０の上部当接面部２６と前記バックボード３０の上縁部３６、前記サイン面板１０の下部当接面部２７と前記バックボードの下縁部３７とをそれぞれ当接させた状態で嵌挿する嵌挿部８１，９１を備えて前記サイン面板と前記バックボードとを一体化するとともに、前記壁面側受けレール１２０．１３０に懸架される。符号１１０は屋根、１４１，１４２は壁面側上部受けレール１２０、壁面側下部受けレール１３０を壁面１５０に取付ける取付けボルトである。
【図面の簡単な説明】
【００３７】
【図１】  本発明に係るファサードサインの斜視図である。
【図２】  ファサードサインの組立て途中を示す図であり、雨だれ防止用ひさしの基端部をサイン面板の頂部に形成した、ひさし基端部嵌入用の条溝に右サイドからスライドさせて嵌入し、さらに、左サイドカバーを取付ける状態を示す斜視図である。
【図３】  ファサードサインを構成するサイン面板にカラーボードを収容保持している状態を示す斜視図である。
【図４】  ファサードサインを構成するバックボードに照光ユニットを装着している状態を示す斜視図である。
【図５】  バックボード側から見たファサードサインを示し、サイン面板とバックボードと左サイドカバーを組立て、上下の連結レールによりサイン面板とバックボードを一体化している状態を示すファサードサインの斜視図である。
【図６】  ファサードサインの左側面図である。
【図７】  ファサードサインを壁面に設置した状態を示す左側面図である。
【図８】  ファサードサインの構成要素を分離した状態の左側面図である。
【図９】  ファサードサインの左サイドカバーを取り外し、照光ユニットをバックボードに一段装着した状態を示す左側面略図である。
【図１０】  ファサードサインを構成する照光体の照光ユニットを示し、（ａ）はその斜視図、（ｂ）はその底面側、（ｃ）は図１０（ａ）のＸ−Ｘ断面略図である
【図１１】  本発明に係るファサードサインをメインサインの左右に２機設置した状態を示す斜視図である。
【図１２】  本発明に係るファサードサインを店頭に設置した例を示す正面図である。
【符号の説明】
【００３８】    １    ファサードサイン
１０    サイン面板
１１    透明部
１２    上部透明部
１３    中央透明部
１４    下部透明部
１５    カラーボード収容保持部
１６    上部収容保持部
１７    中央収容保持部
１８    下部収容保持部
２１    乳白色部
２６    上部当接面部
２７    下部当接面部
２８    ひさし基端部嵌入用条溝
３０    バックボード
３１    中空部
３２    係入溝
３６    上縁部
３７    下縁部
３８    受け溝
４１    左サイドカバー
４２    右サイドカバー
４３    ボルト挿通孔
４４    リブ
４５    リブ
４８    欠所
５０    カラーボード
５１    上部カラーボード
５２    中央カラーボード
５３    下部カラーボード
６０    照光体
６１    照光ユニット
６２    リフレクタ
６２Ａ  反射面
６３    ＬＥＤ保持部
６４    ＬＥＤ保持部
６５    くり抜き部
６７    脚片
６８    脚片
７０    照光部
７２    ＬＥＤ
７９    電源
８０    上部連結レール
９０    下部連結レール
１００  雨だれ防止用ひさし
１１０  屋根
１２０  壁面側上部受けレール
１３０  壁面側下部受けレール
１４１  取付けボルト
１４２  取付けボルト
１５０  壁面
【図１】
2009098586.tif 000003
【図２】
2009098586.tif 000004
【図３】
2009098586.tif 000005
【図４】
2009098586.tif 000006
【図５】
2009098586.tif 000007
【図６】
2009098586.tif 000008
【図７】
2009098586.tif 000009
【図８】
2009098586.tif 000010
【図９】
2009098586.tif 000011
【図１０】
2009098586.tif 000012
【図１０】
2009098586.tif 000013
【図１１】
2009098586.tif 000014
【図１２】
2009098586.tif 000015
【手続補正書】
【提出日】平成20年1月17日(2008.1.17)
【手続補正１】
【補正対象書類名】図面
【補正対象項目名】全図
【補正方法】変更
【補正の内容】
【図１】
2009098586.tif 000016
【図２】
2009098586.tif 000017
【図３】
2009098586.tif 000018
【図４】
2009098586.tif 000019
【図５】
2009098586.tif 000020
【図６】
2009098586.tif 000021
【図７】
2009098586.tif 000022
【図８】
2009098586.tif 000023
【図９】
2009098586.tif 000024
【図１０（ａ）】
2009098586.tif 000025
【図１０（ｂ）】
2009098586.tif 000026
【図１０（ｃ）】
2009098586.tif 000027
【図１１】
2009098586.tif 000028
【図１２】
2009098586.tif 000029